(57)【要約】【課題】項目の設定を行うとき、データ設定時の操作の手間を軽減することができる文書処理装置を提供する。【解決手段】項目を選択する選択手段と、前記項目に対応する数値入力領域に数値を入力する入力手段と、前記入力手段によって入力された数値に対応する前記項目が前記選択手段によって選択されているか否かを判別する判別手段を有し、前記入力手段によって、数値が入力されたとき、前記判別手段により前記項目が選択されていないと判別された場合には、前記数値が入力された数値入力領域に対応する前記項目を選択表示する文書処理装置。これにより、既に数値が入力された数値入力領域に対応する項目を重ねて選択する手間が不要になり、データ設定時の操作の手間が軽減される。【選択図】　図２
2004046834.tif 000002
【特許請求の範囲】
【請求項１】
項目を選択するか、または、当該項目に対応する数値入力領域に数値を入力することにより、前記項目の設定を行う文書処理装置において、前記項目を選択する選択手段と、前記項目に対応する数値入力領域に数値を入力する入力手段と、前記入力手段によって入力された数値に対応する前記項目が前記選択手段によって選択されているか否かを判別する判別手段を有し、前記入力手段によって、数値が入力されたとき、前記判別手段により前記項目が選択されていないと判別された場合には、前記数値が入力された数値入力領域に対応する前記項目を選択表示する手段を備えたことを特徴とする文書処理装置。
【発明の詳細な説明】
【０００１】
【発明の属する技術分野】
本発明は、ＤＴＰやワードプロセッサ等の文書処理装置において、いくつかの項目のうちの１つの項目、又は「任意項目」とその任意の数値等を選択、入力することにより、項目の設定を行う文書処理装置に関するものである。
【０００２】
【従来の技術】
従来は、項目設定を行う際に、選択された項目にその項目に対応する数値入力領域がある場合は、再度、数値入力領域を選択して入力可能としない限り、数値入力が可能にはならなかった。また、数値入力は、対応する項目を選択しない限り、数値入力領域が可能とならず、数値入力ができなかった。
【０００３】
例えば、頁呼出しにおいては、「先頭頁］や「最終頁」などの項目を選択するか「任意頁」を選択して、再度、数値入力領域を選択して「頁数」を数値で入力する方法で呼出す頁を入力させていた。
【０００４】
【発明が解決しようとする課題】
このような従来の項目設定方法では、項目を選択したのちに、再度、数値入力領域を選択して入力可能とし、数値を入力しなくてはならず、項目の設定を行う際、手間がかかっていた。
【０００５】
本発明は、上記課題を解決するもので、項目の設定を行うとき、データ設定時の操作の手間を軽減することができる文書処理装置を提供する事を目的とする。
【０００６】
【課題を解決するための手段】
本発明は上記目的を達成するために、入力手段によって入力された数値に対応する項目が選択手段によって選択されているか否かを判別する判別手段を有し、項目が選択されていないと判別された場合には、数値が入力された数値入力領域に対応する項目を選択表示する手段を手段を備えたものである。
【０００７】
この発明によれば、項目の設定を行うとき、データ設定時の操作の手間を軽減することができる文書処理装置が得られる。
【０００８】
【発明の実施の形態】
本発明の請求項１に記載の発明は、項目を選択するか、または、当該項目に対応する数値入力領域に数値を入力することにより、前記項目の設定を行う文書処理装置において、前記項目を選択する選択手段と、前記項目に対応する数値入力領域に数値を入力する入力手段と、前記入力手段によって入力された数値に対応する前記項目が前記選択手段によって選択されているか否かを判別する判別手段を有し、前記入力手段によって、数値が入力されたとき、前記判別手段により前記項目が選択されていないと判別された場合には、前記数値が入力された数値入力領域に対応する前記項目を選択表示する手段を備えたことを特徴とする文書処理装置としたものである。
【０００９】
この発明においては、前記入力手段によって数値が入力され、かつ前記判別手段により項目が選択されていないと判別された場合は、前記数値が入力された数値入力領域に対応する前記項目を選択表示する。これにより既に数値が入力された数値入力領域に対応する項目を重ねて選択する手間が不要になり、データ設定時の操作の手間が軽減されるという作用を有する。
【００１０】
以下、本発明の一実施形態を図面を用いて説明する。
【００１１】
図１は、本発明の一実施形態における文書処理装置のブロック図であって、１は装置の制御及びデータの処理を行う中央処理装置（以下、ＣＰＵと略称する）、２はキーボードやマウス等の入力部、３はプログラム等を記憶するＲＯＭ、４は各種データを記憶するＲＡＭ、５はＲＡＭ４内にあってユーザから設定された項目設定データを管理する設定テーブル、６は表示装置（以下、ＣＲＴという）である。
【００１２】
図７，８は、本発明の一実施形態の設定テーブル５内であり、項目の一つ一つに対してフラグを有する。通常は、使用頻度の最も高いデータが１になっており、項目を設定すると、設定された項目のフラグだけが１になり、ウインドウ上では、黒丸で表示される。
【００１３】
図２，３，４，５，６は、本発明の一実施形態における文書処理装置の具体的な動作を説明するためのフローチャートである。
【００１４】
先ず、図２のステップ１において、入力部２より頁呼出しの要求が行われると、ステップ２において、設定テーブル５内の頁呼出しの項目設定データを見て、フラグが１になっているデータを基に、初期値を判別し、初期値が数値入力領域を伴うもの（この場合は任意頁）である場合には、ステップ３において、任意頁の頁数の数値入力領域を入力可能とし、ステップ４において、図１０に示すような頁呼出しウインドウが開き、（この時、設定テーブル５内の頁呼出しの項目設定データを見て、フラグが１になっているデータを基に、初期値として、黒丸表示する。）ステップ２において、初期値が数値入力領域を伴うもの（この場合は任意頁）でない場合は、直接ステップ４の処理が行われる。
【００１５】
その後、ステップ５において、入力部２より任意頁の頁数入力領域１２に何か入力されたか、それとも現在設定されている以外の頁項目が設定されたか、又は実行キー、取消キーが押されたかを判別し、任意頁の頁数入力領域１２に数値が入力された場合は、ステップ６からステップ８の処理が行われ、頁項目が設定された場合はステップ９からステップ１１の処理が行われ、実行キーが選択された場合は、ステップ１２の処理が行われ、取消キーが選択された場合は、ステップ１３の処理が行われ、処理を終了する。
【００１６】
ステップ５において、入力部２より、任意頁の頁入力領域１２に頁数が入力された場合は、ステップ６において、任意頁の頁数入力領域１２に頁数を表示し、ステップ７において、設定テーブル５内の頁呼出しの項目設定データを見て、任意頁のフラグが１であるかを判別して、フラグが１でない場合は、ステップ８において、任意頁のフラグを１にして、図１０のようにウインドウの任意頁を黒丸で表示して、ステップ５の処理へ戻る。
【００１７】
ステップ５において、頁項目が設定された場合は、ステップ９において、設定された頁項目のフラグを１にして、ウインドウの頁項目を黒丸で表示し、ステップ１０において、設定テーブル５内の頁呼出しデータを見て、数値入力領域が伴うもの（この場合、任意頁）のフラグが１であるかを判別して、フラグが１である場合には、ウインドウの任意頁を黒丸で表示して、ステップ１１において、頁数の数値入力領域を入力可能にし、ステップ５の処理へ戻る。
【００１８】
ステップ５において、実行キーが押されると、ステップ１２において、ウインドウ表示を閉じ、設定された頁が呼出され、処理が終了する。
【００１９】
ステップ５において、取消キーが押されると、ステップ１３において、ウインドウ表示をとじ、処理を終了する次に、本発明の一実施形態の文書処理装置の具体的な動作を一例を挙げて説明する。
【００２０】
文書の５頁を編集しているものとして説明する。入力部２より、頁呼出しの要求が行われると、図７の設定テーブル５より、最終頁が初期値と判断され、図９に示すように、最終頁１１が黒丸で表示されるとともに、頁呼出しウインドウが開かれる。
【００２１】
入力部２より、頁数入力領域１２がクリックされると頁数入力領域１２が入力可能状態になり、頁数を２と入力すると、図１０に示すように頁数入力領域１２に頁数”２”が表示され、図８の設定テーブルに示すように、設定テーブル５内の任意頁データ９のフラグだけが１になり、図１０に示すように任意頁１３が黒丸で表示され、実行キーが押されると、ウインドウが閉じ、２頁が呼出される。
【００２２】
また、次のような動作もある。入力部２より、頁呼出しの要求が行われると、図７の設定テーブル５より、最終頁が初期値と判断され、図９に示すように、最終頁１１が黒丸で表示されるとともに、頁呼出しウインドウが開かれる。
【００２３】
入力部２より、任意頁１３が選択されると、図８の設定後の設定テーブル５内に示すように、設定テーブル５内の任意データ９のフラグが１になり、図１０に示すように任意頁１３が黒丸で表示され、頁数入力領域１２が入力可能状態となり、直接、頁数を入力可能にし、頁数入力領域１２をクリックせずに、直接、頁数”２”が入力でき、その後、実行キーが押されると、ウインドウが閉じ、２頁が呼出される。
【００２４】
なお、以上の実施形態は、数値入力を伴う設定項目を１つとして説明したが、数値入力を伴う設定項目が複数存在する場合でも、同様に実行できる。
【００２５】
【発明の効果】
以上の説明から明らかになるように、本発明によれば、入力手段によって入力された数値に対応する項目が選択手段によって選択されているか否かを判別する判別手段を有し、項目が選択されていないと判別された場合には、数値が入力された数値入力領域に対応する項目を選択表示する手段を手段を備えたことにより、既に数値が入力された数値入力領域に対応する項目を重ねて選択する手間が不要になり、データ設定時の操作の手間を軽減することができる。
【図面の簡単な説明】
【図１】本発明の一実施形態における文書処理装置のブロック図
【図２】本発明の一実施形態における文書処理装置の具体的な動作を説明するためのフローチャート
【図３】本発明の一実施形態における文書処理装置の具体的な動作を説明するためのフローチャート
【図４】本発明の一実施形態における文書処理装置の具体的な動作を説明するためのフローチャート
【図５】本発明の一実施形態における文書処理装置の具体的な動作を説明するためのフローチャート
【図６】本発明の一実施形態における文書処理装置の具体的な動作を説明するためのフローチャート
【図７】本発明の一実施形態における設定テーブルの具体的例を示す図
【図８】本発明の一実施形態における設定テーブルの具体的例を示す図
【図９】本発明の一実施形態における頁呼出しウインドウ内の表示例を示す図
【図１０】本発明の一実施形態における頁呼出しウインドウ内の表示例を示す図
【符号の説明】
１　ＣＰＵ
２　入力部
３　ＲＯＭ
４　ＲＡＭ
５　設定テーブル
６　ＣＲＴ
【図１】
2004046834.tif 000003
【図２】
2004046834.tif 000004
【図３】
2004046834.tif 000005
【図４】
2004046834.tif 000006
【図５】
2004046834.tif 000007
【図６】
2004046834.tif 000008
【図７】
2004046834.tif 000009
【図８】
2004046834.tif 000010
【図９】
2004046834.tif 000011
【図１０】
2004046834.tif 000012